(57)【要約】【課題】元の印字データは残して、電子透かしに別のデジタル情報を追加したり変更したりする。【解決手段】電子透かし入り文書を読み取るスキャナ部201と、この読取結果に基づいて電子透かしとして埋め込まれたデータを抽出する電子透かし読み取り部202と、この抽出したデータに新たに作成したデータ002(2)を追加し又はこの抽出したデータを変更して新たな電子透かしを作成し、この作成した電子透かしと印字抽出・改ざん検証部204で抽出した印字部分とから電子透かし入り文書を作成する電子透かし入り文書作成部205と、この作成した電子透かし入り文書を白紙004に印刷する印刷部207を備える。【選択図】  図１
2006157229.tif 000002
【特許請求の範囲】
【請求項１】
文字、記号、図等から成る原文書の中にその文書に関連して作成したデータを電子透かしとして埋め込んだ電子透かし入り文書を取り扱う装置であって、
電子透かし入り文書を機械的に読み取る読取装置と、
この読取装置の読取結果に基づいて電子透かしとして埋め込まれたデータを抽出する電子透かし読取装置と、
この抽出したデータに新たに作成したデータを追加し又はこの抽出したデータを変更して新たな電子透かしを作成する電子透かし作成装置と、
前記読取装置の読取結果に基づいて原文書を抽出する原文書抽出装置と、
この抽出した原文書と前記電子透かし作成装置で作成した電子透かしとから電子透かし入り文書を作成する電子透かし入り文書作成装置と、
この作成した電子透かし入り文書を用紙等の機械的に読取可能な記録媒体に記録する記録装置と
を備えたことを特徴とする電子透かし入り文書取扱装置。
【請求項２】
文字、記号、図等から成る原文書の中にその文書に関連して作成したデータを電子透かしとして埋め込んだ電子透かし入り文書を取り扱う装置であって、
電子透かし入り文書を機械的に読み取る読取装置と、
この読取装置の読取結果に基づいて電子透かしとして埋め込まれたデータを抽出する電子透かし読取装置と、
この抽出したデータに新たに作成したデータを追加し又はこの抽出したデータを変更して新たな電子透かしを作成する電子透かし作成装置と、
この作成した電子透かしを用紙等の機械的に読取可能な記録媒体に記録する記録装置と
を備え、元の電子透かし入り文書の記録媒体に新たに作成した電子透かしを上書きして記録することを特徴とする電子透かし入り文書取扱装置。
【請求項３】
前記電子透かしは、１つが複数の画素ブロックで構成されるユニットパターンを複数組み合わせて作成されたものであることを特徴とする請求項１又は２記載の電子透かし入り文書取扱装置。
【請求項４】
前記電子透かしは、１つが複数の画素ブロックで構成されるユニットパターンを複数組み合わせて作成されたものであり、前記新たに作成した電子透かしは元の電子透かしと異なるユニットパターンであることを特徴とする請求項２記載の電子透かし入り文書取扱装置。
【請求項５】
前記新たに作成した電子透かしと元の電子透かしは形状が異なることを特徴とする請求項４記載の電子透かし入り文書取扱装置。
【請求項６】
前記新たに作成した電子透かしと元の電子透かしは色が異なることを特徴とする請求項４記載の電子透かし入り文書取扱装置。
【請求項７】
前記新たに作成した電子透かしと元の電子透かしは記録する場所が異なることを特徴とする請求項２記載の電子透かし入り文書取扱装置。
【請求項８】
元の電子透かし入り文書の電子署名を検証する電子署名検証装置を備えたことを特徴とする請求項１乃至７記載の電子透かし入り文書取扱装置。
【請求項９】
前記読取装置の読取結果に基づいて電子透かし入り文書の改ざんを検出する改ざん検出装置を備えたことを特徴とする請求項１乃至８記載の電子透かし入り文書取扱装置。
【請求項１０】
電子透かしとして埋め込む電子署名を作成する電子署名作成装置を備えたことを特徴とする請求項１乃至９記載の電子透かし入り文書取扱装置。
【請求項１１】
前記電子署名作成装置は、元の電子透かし入り文書に埋め込まれていたデータの中で原文書に関連して埋め込まれた埋め込みデータのみに基づいて電子署名を作成することを特徴とする請求項１０記載の電子透かし入り文書取扱装置。
【請求項１２】
前記電子署名作成装置は、元の電子透かし入り文書に埋め込まれていたデータの中で原文書に関連して埋め込まれた埋め込みデータとこの埋め込みデータに対する電子署名との両方に基づいて電子署名を作成することを特徴とする請求項１０記載の電子透かし入り文書取扱装置。
【請求項１３】
前記電子署名作成装置は、新たに作成した埋め込みデータのみに基づいて電子署名を作成することを特徴とする請求項１０記載の電子透かし入り文書取扱装置。
【請求項１４】
前記新たに作成した埋め込みデータは、元の電子透かし入り文書に埋め込まれていたデータの中で原文書に関連して埋め込まれた元の埋め込みデータに追加する埋め込みデータであることを特徴とする請求項１３記載の電子透かし入り文書取扱装置。
【請求項１５】
前記新たに作成した埋め込みデータは、元の電子透かし入り文書に埋め込まれていたデータの中で原文書に関連して埋め込まれた元の埋め込みデータを書き換えた埋め込みデータであることを特徴とする請求項１３記載の電子透かし入り文書取扱装置。
【請求項１６】
前記電子署名作成装置は、元の電子透かし入り文書に埋め込まれていたデータの中で原文書に関連して埋め込まれた埋め込みデータとこの埋め込みデータに対する電子署名との両方及び新たに作成した埋め込みデータに基づいて電子署名を作成することを特徴とする請求項１０記載の電子透かし入り文書取扱装置。
【請求項１７】
前記読取装置の読取結果に基づいて電子透かし入り文書に埋め込まれた改ざん検出用の改ざん検出情報を抽出し、この抽出した改ざん検出情報を原文書の画像情報に応じて修正する改ざん検出情報修正装置を備え、前記記録装置がこの修正された改ざん検出情報を記録媒体に記録することを特徴とする請求項１乃至１６記載の電子透かし入り文書取扱装置。
【請求項１８】
前記読取装置の読取結果に基づいて電子透かし入り文書に埋め込まれた改ざん検出用の改ざん検出情報を抽出し、この抽出した改ざん検出情報に基づいて原文書の画像を修正する原文書修正装置を備え、前記記録装置がこの修正された原文書を記録媒体に記録することを特徴とする請求項１記載の電子透かし入り文書取扱装置。
【請求項１９】
指定された領域の改ざん検出情報を作成する改ざん検出情報作成部を備え、前記記録装置がこの指定領域に関する情報と改ざん検出情報とを記録媒体に記録することを特徴とする請求項１乃至１８記載の電子透かし入り文書取扱装置。
【請求項２０】
前記指定領域は文字等を追加した領域であることを特徴とする請求項１９記載の電子透かし入り文書取扱装置。
【請求項２１】
前記指定領域は捺印欄又はサイン欄であることを特徴とする請求項１９記載の電子透かし入り文書取扱装置。
【請求項２２】
前記改ざん検出情報は原文書の文字等の特徴又は原文書の画像的な特徴に基づくものであることを特徴とする請求項１７乃至２１記載の電子透かし入り文書取扱装置。
【請求項２３】
クライアントと該クライアントにネットワークを介して接続されたサーバとからなり、前記電子透かし作成装置を該サーバに設けたことを特徴とする請求項１乃至２２記載の電子透かし入り文書取扱装置。
【請求項２４】
前記読取装置及び記録装置を前記クライアントに設け、それ以外を前記サーバに設けたことを特徴とする請求項１乃至２２記載の電子透かし入り文書取扱装置。
【請求項２５】
電子透かし作成に対する前記サーバから前記クライアントへの課金を処理する課金処理手段を備えたことを特徴とする請求項２３又は２４記載の電子透かし入り文書取扱装置。
【請求項２６】
文字、記号、図等から成る原文書の中にその文書に関連して作成したデータを電子透かしとして埋め込んだ電子透かし入り文書を取り扱う装置であって、
電子透かし入り文書を用紙等の機械的に読取可能な記録媒体に記録する第１の装置と、
この第１の装置によって作成された第１の記録媒体を機械的に読み取り、この第１の記録媒体からそこに電子透かしとして埋め込まれたデータを抽出し、この抽出したデータに新たに作成したデータを追加し又はこの抽出したデータを変更して新たな電子透かしを作成し、また、この記録媒体から原文書を抽出し、この抽出した原文書と前記新たに作成した電子透かしとから電子透かし入り文書を作成し、この作成した電子透かし入り文書を用紙等の機械的に読取可能な第２の記録媒体に記録する第２の装置と
を備えたことを特徴とする電子透かし入り文書取扱装置。
【請求項２７】
文字、記号、図等から成る原文書の中にその文書に関連して作成したデータを電子透かしとして埋め込んだ電子透かし入り文書を取り扱う装置であって、
電子透かし入り文書を用紙等の機械的に読取可能な記録媒体に記録する第１の装置と、
この第１の装置によって作成された第１の記録媒体を機械的に読み取り、この第１の記録媒体からそこに電子透かしとして埋め込まれたデータを抽出し、この抽出したデータに新たに作成したデータを追加し又はこの抽出したデータを変更して新たな電子透かしを作成し、この作成した電子透かしを前記第１の記録媒体に上書きする第２の装置と
を備えたことを特徴とする電子透かし入り文書取扱装置。
【請求項２８】
文字、記号、図等から成る原文書の中にその文書に関連して作成したデータを電子透かしとして埋め込んだ電子透かし入り文書を取り扱う方法であって、
電子透かし入り文書が記録されている第１の記録媒体を機械的に読み取るステップと、
この読取結果から第１の記録媒体に電子透かしとして埋め込まれたデータを抽出するステップと、
この抽出したデータに新たに作成したデータを追加し又はこの抽出したデータを変更して新たな電子透かしを作成するステップと、
前記第１の記録媒体から原文書を抽出するステップと、
この抽出した原文書と前記新たに作成した電子透かしとから電子透かし入り文書を作成するステップと、
この作成した電子透かし入り文書を用紙等の機械的に読取可能な第２の記録媒体に記録するステップと
を備えたことを特徴とする電子透かし入り文書取扱方法。
【請求項２９】
文字、記号、図等から成る原文書の中にその文書に関連して作成したデータを電子透かしとして埋め込んだ電子透かし入り文書を取り扱う方法であって、
電子透かし入り文書が記録されている第１の記録媒体を機械的に読み取るステップと、
この読取結果から第１の記録媒体に電子透かしとして埋め込まれたデータを抽出するステップと、
この抽出したデータに新たに作成したデータを追加し又はこの抽出したデータを変更して新たな電子透かしを作成するステップと、
この作成した電子透かしを前記第１の記録媒体に上書きするステップと
を備えたことを特徴とする電子透かし入り文書取扱方法。
【請求項３０】
文字、記号、図等から成る原文書の中にその文書に関連して作成したデータを電子透かしとして埋め込んだ電子透かし入り文書を取り扱う方法であって、
用紙等の機械的に読取可能な第１の記録媒体に電子透かし入り文書を作成するステップと、
この第１の記録媒体を機械的に読み取るステップと、
この読取結果から前記第１の記録媒体に電子透かしとして埋め込まれたデータを抽出するステップと、
この抽出したデータに新たに作成したデータを追加し又はこの抽出したデータを変更して新たな電子透かしを作成するステップと、
前記第１の記録媒体から原文書を抽出するステップと、
この抽出した原文書と前記新たに作成した電子透かしとから電子透かし入り文書を作成するステップと、
この作成した電子透かし入り文書を用紙等の機械的に読取可能な第２の記録媒体に記録するステップと
を備えたことを特徴とする電子透かし入り文書取扱方法。
【請求項３１】
文字、記号、図等から成る原文書の中にその文書に関連して作成したデータを電子透かしとして埋め込んだ電子透かし入り文書を取り扱う方法であって、
用紙等の機械的に読取可能な第１の記録媒体に電子透かし入り文書を作成するステップと、
この第１の記録媒体を機械的に読み取るステップと、
この読取結果から前記第１の記録媒体に電子透かしとして埋め込まれたデータを抽出するステップと、
この抽出したデータに新たに作成したデータを追加し又はこの抽出したデータを変更して新たな電子透かしを作成するステップと、
この作成した電子透かしを前記第１の記録媒体に上書きするステップと
を備えたことを特徴とする電子透かし入り文書取扱方法。
【発明の詳細な説明】
【技術分野】
【０００１】
本発明は、印刷文書に対してデジタル情報を埋め込んだり、印刷文書の改ざんを防止したりする為の電子透かしに関する発明である。
【背景技術】
【０００２】
今日の社会では、「文書」による取引が広く行われている。ここで「文書」とは各種申請書や証明書などである。これらの文書は、デジタル化された電子文書の形態で扱われる場合もあるが、印刷文書が用いられることも多い。これは電子文書の場合、それを読むのにパソコン等が必要であるのと比較し、印刷文書の場合、それらを必要とせず、コストが安いのと、また、文書の一覧性の良さや持ち運び・配布の容易さ等が広く受け入れられているためである。
【０００３】
他方、印刷文書の場合、文書の改ざんが問題となる。そこで、電子透かし技術によって印刷文書の改ざんを判定することが行われている。特許文献１は、そのような技術を開示している文献の一つである。なお、電子透かし技術は、印刷文書の改ざんを判定する以外に、印刷文書にデジタル情報を埋め込むのにも用いられている。
【特許文献１】特開2000−232573号公報
【０００４】
上述の文献によれば、帳票等の印刷物に印字データを印刷する際に、印字データの他に、印字データに対応した電子透かし情報を印刷する。これにより、印刷結果とその電子透かし情報で印刷されたものとを比較することで、印刷結果が改ざんされているかを判別する。
【発明の開示】
【発明が解決しようとする課題】
【０００５】
しかしながら、従来、電子透かし情報（以下、「電子透かし」と略記する）を埋め込んだ印刷文書（以下、「電子透かし入り印刷文書」という）の元の印字データ（原文書）は残して、電子透かしに別のデジタル情報を追加したり変更したりする技術はなかった。ここで、埋め込まれたデジタル情報に対して別の情報を追加・変更することができると以下のようなことが可能になる。
【０００６】
先ず、電子透かし入り印刷文書に対して、後日付加情報を変更することができる。例えば印刷文書の保管場所が埋め込まれている場合、保管場所が変更されたときに、保管場所に関する埋め込みデータを変更することができる。
【０００７】
また、電子透かし入り印刷文書に対して、承認印や承認サインなどを上書きした後、元の付加情報に追加された承認印や承認サインに関わる情報を追加してこれら承認印や承認サインの改ざん保護を行うことができる。
【０００８】
さらに、電子署名が埋め込まれた電子透かし入り印刷文書に対して、別の人の電子署名を追加することができる。例えば印刷された稟議書に対して本人→課長→部長という承認を電子署名の追加で行うことができる。
【０００９】
さらに、電子署名が埋め込まれた電子透かし入り印刷文書に対して電子署名の有効期限を延長することができる。延長する方法として"RFC3126:Electronic Signature Formats for long term electronic signatures"と呼ばれる規格がある。これは有効期限が切れる前に有効期限の余裕のある署名鍵で、元データとその電子署名に対して新たに電子署名することで延長を図る方法である。
【課題を解決するための手段】
【００１０】
本発明では、文字、記号、図等から成る原文書の中にその文書に関連して作成したデータを電子透かしとして埋め込んだ電子透かし入り文書を取り扱う。そして、上述の課題を解決するため、本発明の電子透かし入り文書取扱装置では、電子透かし入り文書を機械的に読み取る読取装置と、この読取装置の読取結果に基づいて電子透かしとして埋め込まれたデータを抽出する電子透かし読取装置と、この抽出したデータに新たに作成したデータを追加し又はこの抽出したデータを変更して新たな電子透かしを作成する電子透かし作成装置と、前記読取装置の読取結果に基づいて原文書を抽出する原文書抽出装置と、この抽出した原文書と前記電子透かし作成装置で作成した電子透かしとから電子透かし入り文書を作成する電子透かし入り文書作成装置と、この作成した電子透かし入り文書を用紙等の機械的に読取可能な記録媒体に記録する記録装置とを備える。
【００１１】
また、他の電子透かし入り文書取扱装置では、電子透かし入り文書を機械的に読み取る読取装置と、この読取装置の読取結果に基づいて電子透かしとして埋め込まれたデータを抽出する電子透かし読取装置と、この抽出したデータに新たに作成したデータを追加し又はこの抽出したデータを変更して新たな電子透かしを作成する電子透かし作成装置と、この作成した電子透かしを用紙等の機械的に読取可能な記録媒体に記録する記録装置とを備え、元の電子透かし入り文書の記録媒体に新たに作成した電子透かしを上書きして記録する。
【００１２】
さらに、他の電子透かし入り文書取扱装置では、電子透かしとして、１つが複数の画素ブロックで構成されるユニットパターンを複数組み合わせたものを用いる。
【００１３】
さらに、他の電子透かし入り文書取扱装置では、電子透かしとして上述のユニットパターンを用い、新たに作成した電子透かしのユニットパターンの形状や色を変えて元の電子透かしのユニットパターンと区別している。
【００１４】
さらに、他の電子透かし入り文書取扱装置では、新たに作成した電子透かしと元の電子透かしの記録場所を変えている。
【００１５】
さらに、他の電子透かし入り文書取扱装置では、読み取った電子透かし入り文書の電子署名を検証する電子署名検証装置を備える。
【００１６】
さらに、他の電子透かし入り文書取扱装置では、読み取った電子透かし入り文書の改ざんを検出する改ざん検出装置を備える。
【００１７】
さらに、他の電子透かし入り文書取扱装置では、電子透かしとして埋め込む電子署名を作成する電子署名作成装置を備える。なお、電子署名は、読み取った電子透かし入り文書に埋め込まれた埋め込みデータや電子透かし、新たに作成された埋め込みデータに基づいて作成される。
【００１８】
さらに、他の電子透かし入り文書取扱装置では、読み取った電子透かし入り文書に埋め込まれた改ざん検出用の改ざん検出情報を抽出し、この抽出した改ざん検出情報を原文書の画像情報に応じて修正する改ざん検出情報修正装置を備える。
【００１９】
さらに、他の電子透かし入り文書取扱装置では、読み取った電子透かし入り文書に埋め込まれた改ざん検出用の改ざん検出情報を抽出し、この抽出した改ざん検出情報に基づいて原文書の画像を修正する原文書修正装置を備え、この修正された原文書を記録媒体に記録するものである。
【００２０】
さらに、他の電子透かし入り文書取扱装置では、指定された領域の改ざん検出情報を作成する改ざん検出情報作成部を備え、この指定領域に関する情報と改ざん検出情報とを記録媒体に記録するものである。この指定領域は、文字等を追加した領域であり、捺印欄やサイン欄などである。
【００２１】
さらに、他の電子透かし入り文書取扱装置では、クライアントと該クライアントにネットワークを介して接続されたサーバとからなり、電子透かし作成装置を該サーバに設ける。
【００２２】
さらに、他の電子透かし入り文書取扱装置では、クライアントと該クライアントにネットワークを介して接続されたサーバとからなり、読取装置及び記録装置をクライアントに設け、それ以外をサーバに設ける。
【００２３】
さらに、他の電子透かし入り文書取扱装置では、クライアントと該クライアントにネットワークを介して接続されたサーバとからなり、電子透かし作成に対するサーバからクライアントへの課金を処理する課金処理手段を備える。
【００２４】
さらに、他の電子透かし入り文書取扱装置では、電子透かし入り文書を用紙等の機械的に読取可能な記録媒体に記録する第１の装置と、この第１の装置によって作成された第１の記録媒体を機械的に読み取り、この第１の記録媒体からそこに電子透かしとして埋め込まれたデータを抽出し、この抽出したデータに新たに作成したデータを追加し又はこの抽出したデータを変更して新たな電子透かしを作成し、また、この記録媒体から原文書を抽出し、この抽出した原文書と前記新たに作成した電子透かしとから電子透かし入り文書を作成し、この作成した電子透かし入り文書を用紙等の機械的に読取可能な第２の記録媒体に記録する第２の装置を備える。
【００２５】
さらに、他の電子透かし入り文書取扱装置では、電子透かし入り文書を用紙等の機械的に読取可能な記録媒体に記録する第１の装置と、この第１の装置によって作成された第１の記録媒体を機械的に読み取り、この第１の記録媒体からそこに電子透かしとして埋め込まれたデータを抽出し、この抽出したデータに新たに作成したデータを追加し又はこの抽出したデータを変更して新たな電子透かしを作成し、この作成した電子透かしを前記第１の記録媒体に上書きする第２の装置とを備える。
【００２６】
この他、本発明の電子透かし入り文書取扱方法では、電子透かし入り文書が記録されている第１の記録媒体を機械的に読み取るステップと、この読取結果から第１の記録媒体に電子透かしとして埋め込まれたデータを抽出するステップと、この抽出したデータに新たに作成したデータを追加し又はこの抽出したデータを変更して新たな電子透かしを作成するステップと、前記第１の記録媒体から原文書を抽出するステップと、この抽出した原文書と前記新たに作成した電子透かしとから電子透かし入り文書を作成するステップと、この作成した電子透かし入り文書を用紙等の機械的に読取可能な第２の記録媒体に記録するステップを備える。
【００２７】
また、他の電子透かし入り文書取扱方法では、電子透かし入り文書が記録されている第１の記録媒体を機械的に読み取るステップと、この読取結果から第１の記録媒体に電子透かしとして埋め込まれたデータを抽出するステップと、この抽出したデータに新たに作成したデータを追加し又はこの抽出したデータを変更して新たな電子透かしを作成するステップと、この作成した電子透かしを前記第１の記録媒体に上書きするステップとを備える。
【００２８】
さらに、他の電子透かし入り文書取扱方法では、用紙等の機械的に読取可能な第１の記録媒体に電子透かし入り文書を作成するステップと、この第１の記録媒体を機械的に読み取るステップと、この読取結果から前記第１の記録媒体に電子透かしとして埋め込まれたデータを抽出するステップと、この抽出したデータに新たに作成したデータを追加し又はこの抽出したデータを変更して新たな電子透かしを作成するステップと、前記第１の記録媒体から原文書を抽出するステップと、この抽出した原文書と前記新たに作成した電子透かしとから電子透かし入り文書を作成するステップと、この作成した電子透かし入り文書を用紙等の機械的に読取可能な第２の記録媒体に記録するステップとを備える。
【００２９】
さらに、他の電子透かし入り文書取扱方法では、用紙等の機械的に読取可能な第１の記録媒体に電子透かし入り文書を作成するステップと、この第１の記録媒体を機械的に読み取るステップと、この読取結果から前記第１の記録媒体に電子透かしとして埋め込まれたデータを抽出するステップと、この抽出したデータに新たに作成したデータを追加し又はこの抽出したデータを変更して新たな電子透かしを作成するステップと、この作成した電子透かしを前記第１の記録媒体に上書きするステップとを備える。
【発明を実施するための最良の形態】
【００３０】
先ず、第１の実施例について説明する。この第１の実施例では、元となる電子透かし入り印刷文書を読み取り、読み取った画像（以下、「スキャン画像」という）から電子透かし部分を消して原文書を抽出し、また、新たに作成したデジタル情報に基づいて電子透かしを作成する。そして、この抽出した原文書と新たに作成した電子透かしを合成することにより、原文書に新たに作成した電子透かしを埋め込んで新しい用紙に印刷する。
【００３１】
図1は、電子透かし入り文書印刷装置の第１の実施例である。また、同図（ａ）は、元になる電子透かし入り文書を作成し印刷するための装置、同図（ｂ）は、同図（ａ）の装置によって印刷された電子透かし入り印刷文書を読み取り、そこから電子透かし部分を消して原文書を抽出し、また、新しい電子透かしを作成し、これにより、原文書は同じで電子透かしが異なる電子透かし入り文書を作成し印刷するための装置である。
【００３２】
図１（ａ）において、原文書データ001は、電子透かしを埋め込む前の文書データである。具体的にはテキストファイル、ワープロファイル、画像データなどである。埋め込みデータ002(1)は、電子透かしとして埋め込むデータである。例えば、原文書データ001に対する改ざん検出に必要な情報（文書の文字や文書の画像的な特徴など）や文書発行者の情報（氏名、所属など）や文書の属性情報（作成日時、文書のタイトル、保管場所など）である。この埋め込みデータは印刷データに関するデータと文書発行者の情報など複数のデータ要素を組み合わせて構成しても良い。電子署名秘密鍵003(1)は、電子署名を行うための秘密鍵である。具体的には公開鍵アルゴリズム技術であるRSAやDSAなどである。またHMACなど署名側と検証側が同じ鍵で行うアルゴリズムでも良い。なお、以下の説明においては、これを単に秘密鍵003(1)と略記する。白紙004は、何も印刷されていない用紙である。
【００３３】
電子透かし入り印刷文書005(1)は、原文書に電子透かしを埋め込み印刷した文書であり、例えば、ユニットパターンからなる電子透かしが埋め込まれている。なお、ユニットパターンを用いた電子透かしについては、本出願人の出願に係る特開2003-209676号公報（電子透かし埋め込み装置、電子透かし検出装置、電子透かし埋め込み方法、及び、電子透かし検出方法）を参照のこと。
【００３４】
ここで、図２は、ユニットパターンからなる電子透かしを説明する図である。図のように、電子透かし全体はドットで構成された小さなN個のパターン（以下、ユニットパターン）で構成されている。この各ユニットパターン一つ一つが数値（0〜N-1）を意味する。また、この電子透かしは、境界情報領域、属性情報領域、及びメイン情報領域を備えている。境界情報領域、ここには予め定められた特定のユニットパターンが印刷されており、これによって読み取り側は電子透かしの境界を識別できる。属性情報領域、ここには電子透かしの大きさやメイン領域の符号化方法など、メイン領域の埋め込みデータを読み取るのに必要な情報が格納されている。メイン領域、ここには使用するアプリケーションによって埋め込まれる任意の情報が入る。一方、読み取り側では、この個々のユニットパターンの検出をテンプレートマッチングや任意の方向性や形状に対するフィルタ特性を持つ2次元フィルタ（例えば2次元ガボールフィルタ）などで抽出する。
【００３５】
図２に示す電子透かしを用いた場合、特定のユニットパターンを位置検出用として境界情報領域や基準位置に規則正しく配置して印刷することにより、読み取りの際に、これらの位置検出用のユニットパターンを抽出することで、傾きや紙のしわがあっても読み取り側ではスキャン画像から本来の正しい位置を求めることができる。また、印刷用紙の汚れやしわなどを考慮して埋め込む情報を複数箇所に分割して配置したり、誤り耐性符号（パリティチェック符号、ハミング符号、BCH符号など）で埋め込んだりしたりして、ユニットパターンの一部が欠けても読み取り側で読み取れるようにすることも可能である。
【００３６】
図１（ａ）の説明に戻り、電子透かし入り文書作成部101は、原文書データ001と埋め込みデータ002(1)とその電子署名から電子透かし入り文書を作成する。具体的には、埋め込みデータ002(1)と電子署名に基づいて電子透かしを作り、これと原文書を重ね合わせる（図３）。なお、電子透かし入り文書、電子透かし及び原文書とは、印刷用の文書画像をいう。電子署名作成部102は、埋め込みデータ002(1)に対して秘密鍵003(1)で電子署名を行う処理を行う。印刷部103は、電子透かし入り文書を印刷する。以下の説明では、これら電子透かし入り文書作成部101、電子署名作成部102及び印刷部103を併せて電子透かし入り文書印刷装置100と呼ぶ（破線で囲んだ部分）。
【００３７】
次に、図１（ｂ）において、電子透かし入り印刷文書 005(1)は、上述の電子透かし入り文書印刷装置100により印刷された文書であり、原文書に電子透かしが埋め込まれた文書である。電子署名公開鍵データベース006は、電子透かし入り印刷文書 005(1)に埋め込まれた電子署名の検証に使う公開鍵を１つまたは複数格納し、秘密鍵003(1)と対になる公開鍵証明書を格納している。各公開鍵は通常X.509公開鍵証明書と呼ばれる形式で格納されるが、これに限定されるものではない。この電子署名公開鍵データベース006は外部サーバに格納しておいても良いし、装置内部に格納しても良い。埋め込みデータ002(2)は、電子透かしを追加・変更するために埋め込むデータである。電子署名秘密鍵003(2)は、追加・変更された埋め込みデータに電子署名を行うための秘密鍵である。なお、以下の説明においては、これを単に秘密鍵003(2)と略記する。白紙004は、何も印刷されていない用紙である。
【００３８】
次に破線で囲んだ電子透かし入り文書印刷装置200について説明する。スキャナ部201は、電子透かし入り印刷文書 005(1)を画像として読み取る装置である。具体的にはスキャナやデジタルカメラなどである。電子透かし読み取り部202は、スキャナ部201で読み取った画像の中から電子透かしを抽出し埋め込みデータ002(1) を検出する。なお、電子透かしは、個々のユニットパターンをテンプレートマッチングや2次元フィルタなどで検出することにより抽出する。電子署名検証部203は、電子透かし入り印刷文書 005(1)に埋め込まれた埋め込みデータ002(1)に対する電子署名の検証を行う。印字抽出・改ざん検出部204は、スキャナ部201で読み取った画像の中から電子透かしを除いた印字部分（以下、単に印字部分と略記する）を抽出して文書画像、つまり原文書を出力する処理を行う。例えば、輝度値をある閾値で2値化して、小さい点を取り除くことで印字部分だけを抽出する。なお、電子透かしを構成するユニットパターンが印字部分と異なる色や形状であれば、その条件でユニットパターンを取り除いて印字部分を抽出しても良い。また、埋め込みデータ002(1)に改ざん検出に必要な情報が含まれる場合は、ここで抽出した印字と埋め込まれたデータを比較して文書の改ざん箇所を検出する。
【００３９】
電子透かし入り文書作成部205は、電子透かし読み取り部202が出力する元の埋め込みデータ002(1)と、新たに入力した新規埋め込みデータ002(2)と、元の埋め込みデータ002(1)若しくは新規埋め込みデータ002(2)、またはその両方に対して秘密鍵003(2)で署名された電子署名データと、印字抽出・改ざん検証部204が出力する文書画像によって電子透かし入り文書を作成する。なお、内部の処理は上述の電子透かし入り文書作成部101と同じである。電子透かし入り文書の埋め込みデータと電子署名の組み合わせ例を図４〜図６に示す。
【００４０】
図４は、元の埋め込みデータに対して埋め込みデータの追加がない場合の例である。例えば、文書に対して元の埋め込みデータを変更せずに複数の人が電子署名する場合である。また、秘密鍵に有効期限がある場合に、有効期限が切れる前に更新した鍵で署名する場合である。この場合、文書に対する電子署名の有効期限を延長させることができる。なお、同図(a)は、埋め込みデータ002(1)に対し、秘密鍵003(2)に基づいて電子署名を行う場合である。また、(b)は、埋め込みデータ002(1)及び秘密鍵003(1)に基づいて作成された電子署名に対し、秘密鍵003(2) に基づいて電子署名を行う場合である。
【００４１】
図５は、埋め込みデータの追加を伴う場合である。例えば、文書に対して新たに埋め込みデータを追加する場合である。なお、同図(a)は、埋め込みデータ002(2)を追加し、そして該埋め込みデータ002(2)に対し、秘密鍵003(2)に基づいて電子署名を行う場合である。また、(b)は、埋め込みデータ002(1)、秘密鍵003(1)に基づく電子署名及び埋め込みデータ002(2)に対し、秘密鍵003(2)に基づいて電子署名を行う場合である。
【００４２】
図６は、埋め込みデータを変更する場合である。同図は、埋め込みデータ002(1)を全て埋め込みデータ002(2)に変更した例であるが、埋め込みデータ002(1)の一部を他の埋め込みデータに変更するようにしても良い。
【００４３】
図１（ｂ）の説明に戻り、電子署名作成部206は、電子透かし入り文書作成部205が出力するデータに対して秘密鍵003(2)で電子署名を作成する。印刷部207は、電子透かし入り文書を印刷する。
【００４４】
次に図７を用いて動作を説明する。図７は第1の実施例の動作フローであり、左側が電子透かし入り文書印刷装置100の動作フローであり、右側が電子透かし入り文書印刷装置200の動作フローである。
【００４５】
先ず、電子透かし入り文書印刷装置100の動作から説明を始める。
処理が開始されると(S101)、原文書データ001と埋め込みデータ002(1)が電子透かし入り文書作成部101に入力される (S102)。また、埋め込みデータ002(1)と秘密鍵003(1)が電子署名作成部102に入力され、これにより電子署名作成部102において、埋め込みデータ002(1)に対し、秘密鍵003(1)基づいて電子署名が作成される(S103)。さらに、電子透かし入り文書作成部101において、原文書データ001、埋め込みデータ002(1)及び電子署名作成部102から出力される電子署名によって電子透かし入り文書が作成される(S104)。こうして作成された電子透かし入り文書は、その後、印刷部103において、白紙004に印刷され(S105)、電子透かし入り印刷文書005(1)が作成される。
【００４６】
次に、電子透かし入り文書印刷装置200の動作を説明する。
処理が開始すると(S111)、電子透かし入り文書印刷装置100が印刷した電子透かし入り印刷文書005(1)をスキャナ部201で読み取る(S112)。次に、電子透かし読み取り部202において、当該印刷文書に埋め込まれた埋め込みデータ002(1)を抽出する。なお、この抽出したデータの内容は装置の表示部に表示しても良い(S113)。さらに、電子署名検証部203において、電子署名公開鍵データベースに格納されている電子署名公開鍵を用いて、当該印刷文書に対する電子署名の有効性の検証、つまり正規の秘密鍵003(1)によって電子署名されたものか否かを検証する(S114、S115)。ここで、電子署名が有効である場合はS116に進む。有効でない場合はS125に進み署名が無効であることを使用者に通知して終了する。
【００４７】
次に、電子署名が有効の場合、S116に進み、印字抽出・改ざん検証部204において、印字部分を抽出して文書画像（原文書）を得る(S116)。また、埋め込みデータに改ざん検出に必要な情報が含まれている場合は、文書の改ざん箇所を検出する(S117)。ここで、改ざんがなかった場合はS119に進み、改ざんがあった場合はS124に進み改ざんがあったことを使用者に通知して終了する（S118）。
【００４８】
こうして、電子署名が有効で、かつ改ざんが検出されない場合、S119に進み、電子透かし入り文書作成部205は埋め込みデータ002(2)を読み込む(S119)。その後、電子署名作成部206において、署名対象となるデータに対して秘密鍵003(2)で電子署名を作成する(S120)。署名対象となるデータの例は図４〜図６に示した通りである。次いで、電子透かし入り文書作成部205において、S116で印字分を抽出して得た文書画像、つまり原文書（印字抽出・改ざん検証部204の出力）と、埋め込みデータ（002(2)）と、S120で作成した電子署名（電子署名作成部206の出力）から電子透かし入り文書を作成する(S121)。そして、印刷部207において、この電子透かし入り文書を白紙004に印刷し、電子透かし入り印刷文書005(2)を作成する(S122)。
【００４９】
以上、第1の実施例について説明した。この第1の実施例では以下の効果がある。
１．電子透かし入り印刷文書に対して、電子透かしとして埋め込まれたデータの追加・変更を複数回行うことができる。これにより、例えば埋め込まれた文書の管理情報（管理番号、置き場所など）が変更になった場合であっても、電子透かしとして埋め込む情報を変更して容易に対応することができる。
２．電子透かし入り印刷文書に対して、新たに別の電子署名を追加することができるので、例えは複数の承認が必要な文書に使うことができる。また、電子署名の有効期限が切れる前に、秘密鍵を有効期限がまだ先の秘密鍵に更新し、この秘密鍵で電子署名することで、電子署名の有効期限を延長することができる。この電子署名の有効期限を延長する規格として“RFC3126:Electronic Signature Formats for long term electronic signature”があるが、この規格に従っても良い。またタイムスタンプを単独にまたは電子署名と併用して使っても良い。これによって文書の発行時刻を保証することができる。このタイムスタンプの代表的な規格に“RFC3161:Internet X.509 Public Key Infrastructure Time-Stamp Protocol(TSP) “があるが、他のタイムスタンプ規格やタイムスタンプアルゴリズムでも良い。
３．印刷文書にしわがあったり、印刷文書が傾いた状態でスキャンされたりした場合でも、電子透かしに位置検出用のユニットパターンを含めることによって、読み取った印字を補正することができるので、追加・変更された電子透かし入り印刷文書には歪みや傾きが補正された印字が反映される。
【００５０】
次に、本発明の第２の実施例を説明する。この第２の実施例では、更新した電子透かし入り文書を新しい用紙に印刷するのではなく、元の用紙に上書き印刷する。例えば、電子透かしを色やパターンを変えて重ねたり（図９）、透かしの埋め込み場所を変えたりして印刷する（図１０）。
【００５１】
図８は、電子透かし入り文書印刷装置の第２の実施例である。なお、第２の実施例においても、第１の実施例と同様に電子透かし入り文書印刷装置100を用いるが、構成が図１におけるものと同じであるので、図８では電子透かし入り文書印刷装置100を省略している。但し、そこで使うユニットパターンとして、図９（ａ）のユニットパターンを用いる。又は、図１０（ａ）のように、用紙上側に電子透かしを埋め込む。なお、このユニットパターンの形状及び電子透かしを埋め込む場所は、これに限定するものではなく、後で電子透かしを上書きするときに使うユニットパターンと区別することができ、又は上書きするときの場所を確保することができれば良い。
【００５２】
次に、図８の電子透かし入り文書印刷装置300（破線で囲んだ部分）について説明する。この装置が、第１の実施例における電子透かし入り文書印刷装置200と異なる部分は、電子透かし作成部301である。また、印刷部207が、電子透かしを新しい用紙に印刷するのではなく、元の電子透かし入り印刷文書005(1)に上書き印刷することである。その為に、例えば、図９（ｂ）のように、上書きに使うユニットパターンは、元のユニットパターンと形状を変える。又は、図１０（ｂ）のように、予め空けてある領域（用紙下方）に電子透かしを印字する。これによって、電子透かし入り印刷文書005(2)から埋め込みデータを取り出す際に、電子透かし入り文書印刷装置100で埋め込まれた埋め込みデータ002(1)と電子透かし入り文書印刷装置300で埋め込まれた埋め込みデータ002(2)の両方を抽出することができる。
【００５３】
なお、図９（ｂ）のようにユニットパターンの形状を変える他にユニットパターンの色を変えても良い。この場合、元のユニットパターンと後から上書きしたユニットパターンを抽出する処理で色の条件も加えることができるので、埋め込みデータを抽出する際、より一層の効果がある。また、図１０（ｂ）のように埋め込み場所を変える場合、上書きする電子透かしの埋め込み場所は用紙の裏でも良い。
【００５４】
第２の実施例の場合、第1の実施例のところで説明した効果の他に、元の電子透かし入り印刷文書をそのまま使うことができるので、例えば、用紙のコピーが禁止された書類などに対しても、埋め込みデータを変更することができる。なお、第２の実施例の場合、元の電子透かし入り印刷文書に上書き印刷するので印字部分を抽出する必要はない。そのため、元の電子透かし入り印刷文書に対する改ざん検出を行わない場合は、印字抽出・改ざん検証部204は不要である。
【００５５】
次に、第３の実施例を説明する。
上述の第1及び第２の実施例では、電子透かしやプリンタ、スキャナの条件によっては改ざん検出に問題が生じることがある。つまり、改ざん検出に必要な情報は、元の電子透かし入り印刷文書作成時に作ったものであるが、印字抽出処理で2値化して抽出した印字部分が元の印字と若干変化したり、用紙の汚れなどが残ったりして、改ざん検出に悪影響が出る問題がある。この第３の実施例は、この問題を解決する為に、この印字抽出処理で抽出した結果を元にして新たに改ざん検出に必要な情報を作成することでこの問題の解決を図るものである。
【００５６】
図１１、図１２は、電子透かし入り文書印刷装置の第３の実施例であり、図１１は第1の実施例を元に変更した例である。つまり、新しい用紙に印刷する例である。また、図１２は第２の実施例を元に変更した例である。つまり、元の用紙に上書き印刷する例である。そして、第１、第２の実施例と異なる点は、電子透かし入り文書印刷装置200（第２の実施例の場合は電子透かし入り文書印刷装置300）に改ざん検出情報修正部401を追加したことである。この改ざん検出情報修正部401は、印字抽出・改ざん検証部204が抽出した印字情報を元に改ざん検出用の情報（文書の文字や文書の画像的な特徴など）を変更する。
【００５７】
図１３は第３の実施例の動作フローであり、第１、第２の実施例と異なるのは、改ざん検出処理の後に改ざん検出情報を修正する処理(S301)を追加したことである。このステップS301は、印字抽出・改ざん検証部204が抽出した印字情報を元に改ざん検出用の情報（文書の文字や文書の画像的な特徴など）を変更する処理を行う。
【００５８】
この第３の実施例の場合、第１、第２の実施例のところで説明した効果の他に、次の効果がある。つまり、抽出した印字部分が元の印字と若干変化してしまう、紙の汚れなどが残ってしまうなどの問題に対して、その抽出した印字を基に改ざん検出用の情報を変更するので、埋め込みデータを追加・変更した電子透かし入り印刷文書においても精度よく改ざん検出を行うことができる。
【００５９】
第３の実施例では、印字部分が元の印字と若干変化してしまう、紙の汚れなどが残ってしまうなどの問題に対し、改ざん検出情報を修正することで解決した。これに対し、第４の実施例では、印字部分を元の印字に修正することで解決を図るものである。なお、この第４の実施例は、第1の実施例のように埋め込みデータを追加・変更した電子透かし入り文書を白紙に印刷する場合に適用できる。
【００６０】
図１４は、電子透かし入り文書印刷装置の第４の実施例であり、第１の実施例と異なる点は、電子透かし入り文書印刷装置に印字修正部501を追加したことである。この実施例の場合、印字抽出・改ざん検証部204は、印字部分を抽出し、また、電子透かしとして埋め込まれている改ざん検出用の情報（文書の文字や文書の画像的な特徴など）を抽出する。そして、印字修正部501は、この改ざん検出用の情報に基づいて印字部分を修正する。例えば、改ざん検出用の情報として文書の文字情報（文字コードとかフォント情報など）が含まれている場合は、その情報に基づいて印字部分を修正する。
【００６１】
図１５は、第４の実施例の動作フローであり、第1の実施例と異なるのは、改ざん検出処理の後に、印字部分を修正する処理（S401）を追加したことである。このステップS401では、元の電子透かし入り印刷文書005(1)に埋め込まれていた改ざん検出用の情報（文書の文字や文書の画像的な特徴など）に基づいて印字部分を修正する。
【００６２】
この第４の実施例の場合、抽出した印字部分が元の印字と若干変化してしまう、紙の汚れなどが残ってしまうなどの問題に対して、埋め込まれている改ざん検出用の情報に基づいて印字部分を修正するので、埋め込みデータを追加・変更した電子透かし入り印刷文書においても精度よく改ざん検出を行うことができる。
【００６３】
第５の実施例は、追加した文字・画像などの改ざんを検出することができるようにした電子透かし入り文書印刷装置の実施例である。例えば、図１８のように、電子透かし入り申請書を使用する場合に、承認者が捺印し、その捺印に対しても改ざん検出の対象にしたいときなどに本実施例を使うことができる。この他、手書きサインでも良い。また、文書に手書きで任意の文字や記号などを追記しても良い。
【００６４】
図１６及び図１７は、電子透かし入り文書印刷装置の第５の実施例の構成図であり、図１６は第1の実施例を元に変更した例である。つまり、新しい用紙に印刷する例である。また、図１７は第２の実施例を元に変更した例である。つまり、元の用紙に上書き印刷する例である。そして、第１、第２前の実施例と異なる点は、改ざん検出情報作成部701を追加したことである。この改ざん検出情報作成部701は、印字抽出・改ざん検証部204が抽出した印字情報に基づいて、新たに設定された改ざん検出領域に対する改ざん検出用の情報を作成する。改ざん検出用の情報を印字情報から作成する手段としては、例えば、印字を含む画像をそのままデータ化すればよい。その際に、この画像を公知の画像圧縮技術で圧縮しても良い。具体的にはJBIG、JPEGなどがある。また、印字部分のベクトル成分など印字の形の特徴をデータ化しても良い。
【００６５】
図１９は、第５の実施例の動作フローであり、第1、第２の実施例と異なるのは、改ざん検出処理の後に、新しい改ざん検出情報を作成する処理（S501）を追加したことである。このステップS501では、新たに設定した改ざん検出領域に対する改ざん検出用の情報（文書の文字や文書の画像的な特徴など）を作成する処理を行う。この作成された改ざん検出情報が埋め込みデータに追加される。
【００６６】
この第５の実施例の場合、第1、第２の実施例のところで説明した効果の他に、後から追加した文字・画像などの改ざん検出を行うことができる。なお、第３の実施例で示した改ざん検出情報の修正や、第４の実施例で示した印字情報の修正をこの第５の実施例に追加しても良い。
【００６７】
第６の実施例は、追加・変更する埋め込みデータの作成を外部装置が行うものであり、電子透かし入り印刷文書に対して、公証機関が文書発行時間などを保証した電子署名を付与するサービスの例である。
【００６８】
図２０は、電子透かし入り文書印刷装置の第６の実施例であり、クライアント900とサーバ1000から構成される。クライアント900は、電子透かし入り印刷文書005(1)の内容をサーバ1000へ送り、サーバ1000から送信される公証機関の電子署名入り印刷文書を受信し印刷する機能を持つ。なお、第２の実施例で説明したように元の電子透かし入り印刷文書005(1)に上書きする場合は、サーバ1000で電子透かしを作成し、この作成した電子透かしをクライアント900へ送信して上書きする。
【００６９】
同図において、電子透かし入り印刷文書005(1)は、例えば、第１の実施例のところで説明した電子透かし入り文書印刷装置100で印刷した文書である。スキャナ部201、印刷部207は、第１の実施例のところで説明したものと同じである。通信部901は、サーバ1000との間でデータの送受信を行う装置である。スキャンした画像をサーバ1000に送信し、サーバ1000から送信される公証機関の電子署名入り印刷文書を受信する。なお、印刷文書は公知の画像圧縮技術を用いて圧縮して送信しても良い。
【００７０】
サーバ1000は、クライアント900から送信されてきた電子透かし入り印刷文書のスキャン画像に受信した時刻などの情報を付加する。また、公証機関1002が発行する秘密鍵003(2)に基づいて電子署名を作成し電子透かしに追加する。また、こうして作成した電子透かし入り文書をクライアント900に送信する。ここで、秘密鍵003(2) は、公証機関1002が発行する電子署名用の秘密鍵である。また、電子透かし入り文書作成装置1001は、入力したスキャン画像に受信した時刻などの情報を付与する。また、秘密鍵003(2)に基づいて電子署名を作成し電子透かしに追加する。具体的な構成は、第1〜５の実施例における電子透かし入り文書印刷装置からスキャナ部と印刷部が無いだけで、その他は同じである。また、公証機関1002は、データの発行時刻などを保証するサービスを提供する機関である。
【００７１】
上述の説明では、ネットワークを介して画像データをサーバへ送信したが、印刷した紙そのものを送っても良い。また、クライアントから署名対象となるデータだけをサーバへ送り、サーバにおいて電子署名を作成し、それをクライアントが受信して電子透かし入り印刷文書に追加する方法でも良い。また、クライアントとサーバとの間の通信をSSLやIPsecなどの暗号通信で行っても良いし、クライアントとサーバとの間で認証処理を行っても良い。さらに、サーバがサービスを提供する都度に料金を課金しても良い。
【００７２】
以上、本発明の実施例を説明した。なお、上述では、用紙に文書を印刷する例を説明したが、プラスチックなどの有機化合物、金属、繊維など用紙以外の物に印刷しても良い。また、用紙は色付きのものであっても良い。また、埋め込みデータの一部を外部の記憶装置に記憶させておいても良い（用紙に全ての情報を埋め込む必要はない）。この他、本発明は、テキストだけの文書に限らず、図や画像が含まれている文書にも適用できる。また、ユニットパターンを使う場合だけでなく、バーコードや2次元バーコードを使う場合にも適用できる。なお、上述の説明では文書の有効性を検証する手段として電子署名を用いる実施例を説明したが、本発明はこれに限定されるものではない。電子署名の代わりに別の方法（例えば捺印やサイン等）によって文書の有効性を検証することもできる。その場合には、例えば捺印やサイン等を検証する手段を電子透かし印刷装置（第６の実施例のように構成する場合はサーバ）に設ければ良い。
【図面の簡単な説明】
【００７３】
【図１】電子透かし入り文書印刷装置の第1の実施例
【図２】電子透かしの説明図
【図３】電子透かし入り文書の説明図
【図４】埋め込みデータと電子署名の組み合わせ例(埋め込みデータの追加なし)
【図５】埋め込みデータと電子署名の組み合わせ例(埋め込みデータの追加あり)
【図６】埋め込みデータと電子署名の組み合わせ例(埋め込みデータの書換え)
【図７】第１の実施例の動作フロー
【図８】電子透かし入り文書印刷装置の第２の実施例
【図９】第２の実施例で使用するユニットパターンの例
【図１０】第２の実施例で使用する埋め込み場所の例
【図１１】電子透かし入り文書印刷装置の第３の実施例
【図１２】電子透かし入り文書印刷装置の第３の実施例
【図１３】第３の実施例の動作フロー
【図１４】電子透かし入り文書印刷装置の第４の実施例
【図１５】第４の実施例の動作フロー
【図１６】電子透かし入り文書印刷装置の第５の実施例
【図１７】電子透かし入り文書印刷装置の第５の実施例
【図１８】第５の実施例の利用例
【図１９】第５の実施例の動作フロー
【図２０】電子透かし入り文書印刷装置の第６の実施例
【符号の説明】
【００７４】
001：原文書データ
002(1)、002(2)：埋め込みデータ
003(1)、003(2)：電子署名秘密鍵
004：白紙
005(1)、005(2)： 電子透かし入り印刷文書
100、200、300、400、500、600、700、800：電子透かし入り文書印刷装置
101、205：電子透かし入り文書作成部
102、206：電子署名作成部
103、207：印刷部
201：スキャナ部
202：電子透かし読み取り部
203：電子署名検証部
204：印字抽出・改ざん検証部
301：電子透かし作成部
401：改ざん検出情報修正部
501：印字修正部
701：改ざん検出情報作成部
900：クライアント
901：通信部
1000：サーバ
1001：電子透かし入り文書作成装置
1002：公証機関
【図１】
2006157229.tif 000003
【図２】
2006157229.tif 000004
【図３】
2006157229.tif 000005
【図４】
2006157229.tif 000006
【図５】
2006157229.tif 000007
【図６】
2006157229.tif 000008
【図７】
2006157229.tif 000009
【図８】
2006157229.tif 000010
【図９】
2006157229.tif 000011
【図１０】
2006157229.tif 000012
【図１１】
2006157229.tif 000013
【図１２】
2006157229.tif 000014
【図１３】
2006157229.tif 000015
【図１４】
2006157229.tif 000016
【図１５】
2006157229.tif 000017
【図１６】
2006157229.tif 000018
【図１７】
2006157229.tif 000019
【図１８】
2006157229.tif 000020
【図１９】
2006157229.tif 000021
【図２０】
2006157229.tif 000022